(57)【要約】【課題】カムを介することなくロック体を迅速に復帰させることができるヒンジ装置を提供する。【解決手段】可動体６が第一の位置にあるとき、ロック体７の係合部７ｂと可動体６の係合部６ｄとが係合する。第一の位置にある可動体６を回転させるとき、ロック支持体９を圧縮・ねじりばね１１の回転力に抗して回転させることによって、ロック体７がロック支持体９に向かって移動してロック体７の係合部７ｂと可動体６の係合部６ｄとの係合が外れ、可動体６の係合部６ｄが固定体８のカム面８ａを滑る。その一方、可動体６の係合部６ｄがロック体７の係合部７ｂを通過した後に、圧縮・ねじりばね１１がロック体７を可動体６に向かって移動させると共にロック支持体９に対してロック体７を回転させることによって、ロック支持体９がロック体７を支持するようになる。【選択図】図３
2010112541.tif 000002
【特許請求の範囲】
【請求項１】
カム面を有する固定体と、前記固定体に対して回転する可動体と、前記可動体を前記固定体のカム面に付勢する付勢部材と、前記固定体に対して回転しないように設けられるロック体と、前記ロック体を支持するロック支持体と、前記ロック体と前記ロック支持体との間に設けられる圧縮・ねじりばねと、を備え、
前記可動体が前記固定体に対して第一の位置にあるとき、前記ロック体の係合部と前記可動体の係合部とが係合し、
前記第一の位置にある前記可動体を前記固定体に対して回転させるとき、前記ロック支持体を前記圧縮・ねじりばねの回転力に抗して回転させることによって、前記ロック体が前記ロック支持体に向かって移動して前記ロック体の係合部と前記可動体の係合部との係合が外れ、前記可動体の係合部が前記固定体のカム面を滑る一方、
前記可動体の係合部が前記ロック体の係合部を通過した後に、前記圧縮・ねじりばねが前記ロック体を前記可動体に向かって移動させると共に前記ロック支持体に対して前記ロック体を回転させることによって、前記ロック支持体が前記ロック体を支持するようになるヒンジ装置。
【請求項２】
前記ロック体の一部は、前記固定体のカム面から出没自在であり、
前記可動体が前記第一の位置にあるとき、前記固定体のカム面から突出する前記ロック体の係合部と前記可動体の係合部とが係合し、
前記第一の位置にある前記可動体を前記固定体に対して回転させるとき、前記ロック体の係合部が前記固定体のカム面から落ち込むことによって、前記可動体の係合部と前記ロック体の係合部との係合が外れ、前記可動体の係合部が前記固定体のカム面を滑る一方、前記可動体の係合部が前記ロック体の係合部を通過した後に前記ロック体の係合部が前記固定体の前記カム面から再び突出し、
前記可動体が前記固定体に対して前記第一の位置から回転している間、前記可動体の係合部が前記固定体のカム面に当接することを特徴とする請求項１に記載のヒンジ装置。
【請求項３】
前記固定体の内周面には、前記ロック体の出没動作を案内する案内溝が形成されることを特徴とする請求項１又は２に記載のヒンジ装置。
【請求項４】
請求項１ないし３のいずれかに記載のヒンジ装置と、前記ヒンジ装置の前記固定体が装着される第一の筐体と、前記ヒンジ装置の前記可動体が装着される第二の筐体と、を備え、第一の筐体に対して第二の筐体を折り畳んだり、開いたりする電子機器。
【発明の詳細な説明】
【技術分野】
【０００１】
本発明は、携帯電話、ゲーム機、パーソナルコンピュータ等の電子機器に組み込まれるヒンジ装置に関する。
【背景技術】
【０００２】
携帯電話等の電子機器においては、第一の筐体に対して第二の筐体を開いたり、閉じたりできる折畳み式のものが用いられることが多い。このようなヒンジ装置の一種として、手で携帯電話を開けることができ、また摘みを回したり釦を押したりすれば自動的に携帯電話を開くことができるワンタッチオープン式のヒンジ装置が知られている。
【０００３】
図１６は従来のワンタッチオープン式のヒンジ装置の分解斜視図を示す。このヒンジ装置は、第一の筐体に固定される固定体３１と、第二の筐体に固定される可動ケース３２と、を備える。第一の筐体に対して第二の筐体を開いたり、閉じたりすると、固定体３１に対して可動ケース３２が開閉方向に回転する。固定体３１には反転体３３が固定される。反転体３３の周囲には摺動体３４が軸線方向にスライド可能に設けられる。摺動体３４の側面にはカム面３４ａが形成される。可動ケース３２には可動カム３５が軸線方向にスライド可能にかつ軸線の回りを回転不能に収容される。可動カム３５はコイルスプリング３６によって摺動体３４のカム面３４ａに付勢される。コイルスプリング３６の付勢力によって可動カム３５が摺動体３４のカム面３４ａを滑り、可動カム３５に開閉方向のトルクが与えられる。
【０００４】
図１７は可動カム３５、摺動体３４及び反転体３３の動作図を示す。図１７（ａ）に示すように、可動カム３５が閉じた状態では、可動カム３５は摺動体３４の山形のカム面３４ａの右側傾斜面に当接する。この状態では、コイルスプリング３６及び摺動体３４によって可動カム３５にはさらに閉じる方向（図中右方向Ｇ）へ付勢力が与えられる。次に図１７（ｂ）に示すように、ねじりばね３９の付勢力に抗してつまみ部３７（図１６参照）をひねり、つまみ部３７に係合する解除体３８を回転させると、解除体３８のカム３８ａ及び摺動体３４の支持カム３４ｂのカム作用によって摺動体３４が下降し、摺動体３４が反転体３３のカム面３３ａよりも低くなる。これにより、可動カム３５が摺動体３４のカム面３４ａから反転体３３のカム面３３ａに乗り移る。反転体３３のカム面３３ａには可動カム３５を開く方向に付勢する傾斜面が形成されているので、可動カム３５は開く方向Ｈに回転する。図１７（ｃ）に示すように、可動カム３５が反転体３３のカム面３３ａを滑っている間、ねじりばね３９の復元力によって解除体３８が元の位置まで回転・復帰する。これに伴い、解除体３８と摺動体３４のカム作用によって摺動体３４が元の位置まで上昇・復帰する。図１７（ｄ）に示すように、可動カム３５が開いた状態では、可動カム３５は復帰した摺動体３４のカム面３４ａの左側傾斜面の端部に当接する。この状態では、コイルスプリング３６及び摺動体３４によって可動カム３５にはさらに開く方向（図中左方向Ｈ）への付勢力が与えられる。
【０００５】
以上が自動で携帯電話を開くときの各部品の動作説明である。手で携帯電話を開くときは、摺動体３４は上下方向にその位置を変化させることはない。可動カム３５を摺動体３４のカム面３４ａの頂部を乗り越えさせることによって、可動カム３５が摺動体３４の左側傾斜面を滑り、可動カム３５が開いた状態になる。
【特許文献１】特開２００３−２１４４２３号公報
【発明の開示】
【発明が解決しようとする課題】
【０００６】
しかし、従来のヒンジ装置にあっては、摺動体を復帰させるのにあたり、摺動体の支持カム及び解除体の解除カムのカム作用を用いるので、摺動体を迅速に復帰させることができないという課題がある。
【０００７】
また、従来のヒンジ装置においては、可動カムが開いた状態及び閉じた状態のとき、可動カムと摺動体のカム面とを当接させている。そして、摺動体の内側に摺動体のカム面に近似したカム面を形成した反転体を配置した二重カム構造を採用し、摘みを回したり押し釦を押したりしたときにのみ一時的に可動カムが反転体のカム面を滑るようにしている。しかし、携帯機器に組み込まれるヒンジ装置には小型化が要請されているところ、摺動体の内側に反転体を配置する分、摺動体のカム面の半径方向の肉厚を薄くせざるを得ない。摺動体のカム面の肉厚が薄くなると、耐久性が悪くなるという課題が生ずる。
【０００８】
さらに可動カムが開いた状態の近くまで回転しないと、摺動体が元の位置に復帰できないという課題もある。すなわち、第二の筐体が完全に開ききらない状態で再び第二の筐体を閉じても摺動体によるロックが効かず、第二の筐体が再び開いてしまうという課題がある。反転体に摺動体のカム面に近似したカム面を形成していることが原因である。
【０００９】
本発明は、このような従来のヒンジ装置の課題を解決するものであり、カムを介することなくロック体を迅速に復帰させることができ、また耐久性を向上することができるヒンジ装置及びこれを用いた電子機器を提供することを目的とする。
【課題を解決するための手段】
【００１０】
上記課題を解決するために、請求項１に記載の発明は、カム面を有する固定体と、前記固定体に対して回転する可動体と、前記可動体を前記固定体のカム面に付勢する付勢部材と、前記固定体に対して回転しないように設けられるロック体と、前記ロック体を支持するロック支持体と、前記ロック体と前記ロック支持体との間に設けられる圧縮・ねじりばねと、を備え、前記可動体が前記固定体に対して第一の位置にあるとき、前記ロック体の係合部と前記可動体の係合部とが係合し、前記第一の位置にある前記可動体を前記固定体に対して回転させるとき、前記ロック支持体を前記圧縮・ねじりばねの回転力に抗して回転させることによって、前記ロック体が前記ロック支持体に向かって移動して前記ロック体の係合部と前記可動体の係合部との係合が外れ、前記可動体の係合部が前記固定体のカム面を滑る一方、前記可動体の係合部が前記ロック体の係合部を通過した後に、前記圧縮・ねじりばねが前記ロック体を前記可動体に向かって移動させると共に前記ロック支持体に対して前記ロック体を回転させることによって、前記ロック支持体が前記ロック体を支持するようになるヒンジ装置である。
【００１１】
請求項２に記載の発明は、請求項１に記載のヒンジ装置において、前記ロック体の一部は、前記固定体のカム面から出没自在であり、前記可動体が前記第一の位置にあるとき、前記固定体のカム面から突出する前記ロック体の係合部と前記可動体の係合部とが係合し、前記第一の位置にある前記可動体を前記固定体に対して回転させるとき、前記ロック体の係合部が前記固定体のカム面から落ち込むことによって、前記可動体の係合部と前記ロック体の係合部との係合が外れ、前記可動体の係合部が前記固定体のカム面を滑る一方、前記可動体の係合部が前記ロック体の係合部を通過した後に前記ロック体の係合部が前記固定体の前記カム面から再び突出し、前記可動体が前記固定体に対して前記第一の位置から回転している間、前記可動体の係合部が前記固定体のカム面に当接することを特徴とする。
【００１２】
請求項３に記載の発明は、請求項１又は２に記載のヒンジ装置において、前記固定体の内周面には、前記ロック体の出没動作を案内する案内溝が形成されることを特徴とする。
【００１３】
請求項４に記載の発明は、請求項１ないし３のいずれかに記載のヒンジ装置と、前記ヒンジ装置の前記固定体が装着される第一の筐体と、前記ヒンジ装置の前記可動体が装着される第二の筐体と、を備え、第一の筐体に対して第二の筐体を折り畳んだり、開いたりする電子機器である。
【発明の効果】
【００１４】
請求項１に記載の発明によれば、ロック体とロック支持体との間に介在される軸力・回転力付与ばねがロック体を直接的に復帰させるので、カムを介することなくロック体を迅速に復帰させることができる。
【００１５】
請求項２に記載の発明によれば、可動体が回転している間、常に固定体のカム面を摺動するので、固定体の内側に可動体が摺動する反転体を設ける必要がない。反転体を設けない分、固定体のカム面を大きくとれるので、固定体のカム面の耐久性を向上させることができる。さらに、可動体がロック体を通過した直後にロック体を復帰させることができるので、可動体の開き角度がそれほど大きくならない段階でロック体を復帰させることができる。
【００１６】
請求項３に記載の発明によれば、固定体の内周面に案内溝を形成した分、ロック体を固定部材の半径方向の外側に配置することができる。閉じた状態の可動体をさらに閉じる方向に付勢する付勢力は、付勢部材が可動体をロック体に押しつける力とロック体の半径方向の位置の積に比例する。固定体の内周面に案内溝を形成し、ロック体を固定部材の半径方向の外側に配置することによって、閉じた状態を保つ付勢力を大きくすることができる。
【発明を実施するための最良の形態】
【００１７】
以下添付図面に基づいて本発明の一実施形態のヒンジ装置を説明する。図１及び図２は本発明の一実施形態のヒンジ装置が組み込まれる携帯電話を示す。図１は携帯電話が開いた状態を示し、図２は携帯電話が閉じた状態を示す。第一の筐体としての操作側筐体１には、キーボタン、バッテリー、マイクロフォン等が配置される。第二の筐体としてのディスプレイ側筐体２には、液晶表示装置等の表示装置、小型スピーカ等が配置される。操作側筐体１には、二つの連結筒部１ａが設けられる。ディスプレイ側筐体２には、操作側筐体１の二つの連結筒部１ａ間に挟まれる一つの連結筒部２ａが設けられる。ディスプレイ側筐体２の連結筒部２ａ及び操作側筐体１の連結筒部１ａにヒンジ装置４が組み込まれる。
【００１８】
ヒンジ装置４の押し釦３が押されると、図２に示される閉じた状態の携帯電話が自動的に開いた状態になる。ヒンジ装置４は操作側筐体１に対してディスプレイ側筐体２が相対的に回転するのを案内する。また、ヒンジ装置４は開いた状態のディスプレイ側筐体２にさらに開く方向の付勢力を与え、閉じた状態のディスプレイ側筐体２にさらに閉じる方向の付勢力を与える。携帯電話の開いた状態及び閉じた状態を安定させるためである。
【００１９】
図３はヒンジ装置４の分解斜視図を示す。ヒンジ装置４は、ディスプレイ側筐体２に固定される筒状のケース５と、操作側筐体１に固定される固定体８と、を備える。携帯電話を開いたり、閉じたりすると、固定体８に対してケース５が開閉方向に回転する。
【００２０】
ケース５は有底円筒形状に形成される。ケース５の外周面には、ケース５をディスプレイ側筐体２に回転不能に固定できるように複数の平坦面５ａが形成される。
【００２１】
ケース５には軸線方向に直線運動可能に可動体６が収容される。可動体６の外周面には、ケース５の平坦面５ａに対応した平坦面６ａが形成される。ケース５に収納される可動体６はケース５に対して軸線の回りを回転できない。
【００２２】
図５は可動体６の詳細図を示す。可動体６は、本体部６ｂと、本体部６ｂから固定体８に向かって突出する一対の爪部６ｃとを有する。一対の爪部６ｃは周方向に１８０度の間隔を空けて設けられる。爪部６ｃの先端には、後述するロック体７に係合する係合部としての円弧状の頂部６ｄが形成される。頂部６ｄの外周面がカム面となる。本体部６ｂの外周面には上述の平坦面６ａが形成される。可動体６の本体部６ｂには、軸体１３（図３参照）が貫通する貫通孔６ｅが形成される。可動体６は軸体１３に沿って直線運動する。
【００２３】
図３に示すように、ケース５の底部と可動体６との間には、付勢部材としての内側及び外側の二重の圧縮ばね１０ａ，１０ｂが配置される。圧縮ばね１０ａ，１０ｂは可動体６を固定体８のカム面８ａに付勢する。固定体８のカム面８ａには可動体６に開く方向の回転力を与えるように傾斜面が形成される。圧縮ばね１０ａ，１０ｂの付勢力によって可動体６が固定体８のカム面８ａを滑ると、可動体６に開く方向の回転力が与えられる。ここで、固定体８が操作側筐体１に固定され、ケース５がディスプレイ側筐体２に固定されるので、ディスプレイ側筐体２に開く方向の回転力が与えられる。
【００２４】
図６は固定体８の詳細図を示す。固定体８は、本体部８ｃと、本体部８ｃから可動体６に向かって突出するカム部８ｂと、を有する。カム部８ｂの端面には、可動体６の一対の頂部６ｄのそれぞれに接触する一対のカム面８ａが形成される。固定体８のカム部８ｂには、ロック体７の出没動作を案内する案内溝２１が形成される。案内溝２１は固定体８のカム面８ａから固定体８の内方に向かって軸線方向に伸びる。また固定体８の本体部８ｃの内周面には、円弧形状の一対の案内面２２が形成される。この一対の案内面２２は、後述するロック支持体９が固定体８に対して回転運動するのを案内する。さらに固定体８の本体部８ｃには、ワッシャ１２（図３参照）が嵌められるワッシャ嵌合溝２３が形成される。
【００２５】
図３に示すように、閉じた状態のディスプレイ側筐体２をロックするために、固定体８には固定体８のカム面８ａから出没自在にロック体７が設けられる。ロック体７が可動体６の頂部６ｄと係合することによって、可動体６の開き方向への回転がロックされる。
【００２６】
図７はロック体７の詳細図を示す。ロック体７は、リング状の本体部７ａと、本体部７ａから半径方向に突出する一対のロック係合部７ｂと、本体部７ａの端面から軸線方向に突出する略四角形状の一対の凸部７ｃとを有する。可動体６の頂部６ｄに接触するロック係合部７ｂには、円弧状の面取りが施される。ロック係合部７ｂの円周方向の長さは、固定体８のカム面８ａの円周方向の長さよりも短い。このロック係合部７ｂは固定体８の案内溝２１（図６参照）に案内される。ロック体７は固定体に対して軸線方向に直線運動できるが軸線の回りを回転運動できない。ロック体７の一対の凸部７ｃは、後述するロック支持体９の端面に接触する。ロック体７の本体部７ａには切欠き７ｅ（図３参照）が形成される。この切欠き７ｅに後述する圧縮・ねじりばね１１が嵌められる。ロック体７の本体部７ａには、軸体１３が貫通される貫通孔７ｄが空けられる。ロック体７の軸線方向の直線運動は軸体１３によって案内される。
【００２７】
図３に示すように、押し釦３を押すことによってディスプレイ側筐体２が自動的に開くようにするためには、可動体６とロック体７との係合を外すことができればよい。ロック体７を固定体８のカム面８ａよりも落ち込ませるためにロック支持体９が設けられる。
【００２８】
図８はロック支持体９の詳細図を示す。ロック支持体９は、固定体８の内側に収容される有底円筒状の本体部９ａと、本体部９ａから半径方向の外側に突出する一対のカム部９ｂと、を有する。本体部９ａの端面には、一対の凹部９ｃが形成される。この凹部９ｃにロック体７の凸部７ｃが嵌まる。ロック支持体９の本体部９ａの外径はロック体７の本体部７ａの外径に等しい。ロック支持体９の本体部９ａには、切欠き９ｄが形成される。この切欠き９ｄに圧縮・ねじりばね１１が嵌められる。
【００２９】
図４は組み立てたヒンジ装置４の斜視図を示す。図中（ａ）はケース５を取り外した状態のヒンジ装置４を示し、図中（ｂ）はさらに固定体８を取り外した状態を示す。図（ｂ）に示すように、ロック支持体９はその端面にロック体７の凸部７ｃを載せた状態でロック体７を支持する。ロック支持体９をその軸線の回りを回転させることによって、ロック支持体９の凹部９ｃにロック体７の凸部７ｃが嵌まる。これにより、ロック体７がロック支持体９に向かって移動して、可動体６の頂部６ｄとロック体７との係合が外れる。こうなると、可動体６が固定体８のカム面８ａに沿って滑り始める。
【００３０】
ロック支持体９を回転させるために、押し釦３が設けられる。図９は押し釦３の詳細図を示す。押し釦３は、円盤状の本体部３ａと、固定体８に挿入される一対の脚部３ｂと、を有する。脚部３ｂの先端には、ロック支持体９のカム部９ｂに当接するカム面３ｄが形成される。押し釦３は固定体８に対して軸線方向に直線運動のみ可能である。押し釦３を押すことによって、押し釦３のカム面３ｄがロック支持体９のカム部９ｂを押し込み、これらのカムの作用によりロック支持体９が軸線の回りを回転する。
【００３１】
図４に示すように、ロック体７とロック支持体９との間には、圧縮・ねじりばね１１が設けられる。圧縮・ねじりばね１１は、ロック支持体９を軸線方向に移動させる軸力を与えると共に、軸線の回りを回転させる回転力を与える。図４（ｂ）に示すように、圧縮・ねじりばね１１はロック体７をロック支持体９の凹部９ｃから押し上げ、その後ロック体７を回転させ、ロック支持体９がロック体７を支えるようにする。
【００３２】
図３に示すように、ケース５、二重の圧縮ばね１０ａ，１０ｂ、可動体６、ロック体７、固定体８、圧縮・ねじりばね１１、押し釦３は同一の軸線上に配置される。これらの部品は軸体１３によって一体化される。軸体１３にこれらの部品を順次組み付け、軸体１３の先端部にワッシャ１２を取り付け、軸体１３の先端部をワッシャにかしめ・固定することで、これらが一体化される。
【００３３】
図１０はヒンジ装置４の側面図を示す。閉じた状態の可動体６の回転角度を０度とする。図中（ａ）及び（ｂ）では、内部の構造をわかりやすく示すために、ヒンジ装置４を見る方向を９０度回転させている。以下図１１ないし図１５において同様である。
【００３４】
ヒンジ装置４が携帯電話に組み込まれる前には、閉じた状態の可動体６の頂部６ｄはロック体７及び固定体８のカム面８ａに当接する。ヒンジ装置４が携帯電話に組み込まれると、可動体６がロック体７にのみ当接するようになる。可動体６が閉じた状態で、圧縮ばね１０ａ，１０ｂ及びロック体７によって可動体６にさらに閉じる方向に付勢力を与えるためである。
【００３５】
図１１は、閉じた状態の可動体６及び固定体８の詳細図を示す。図１１に示すように、可動体６が閉じた状態（第一の位置）にあるとき、可動体６はロック体７に当接する。
【００３６】
図１２に示すように、押し釦３を押すと、ロック支持体９が回転し、可動体６に押されるロック体７がロック支持体９の凹部９ｃに落ち込む。ロック体７とロック支持体９との間には圧縮・ねじりばね１１が介在されるが、圧縮・ねじりばね１１の付勢力は圧縮ばね１０ａ，１０ｂの付勢力より弱い。このため、ロック体７がロック支持体９の凹部９ｃに嵌まり、ロック体７が固定体８のカム面８ａよりも下側に落ち込む。ロック体７が固定体８のカム面８ａよりも下側に落ち込むことによって、可動体６とロック体７との係合が外れ、可動体６が固定体８のカム面８ａを滑り始める。可動体６とロック体７との係合が外れた直後、可動体６は固定体８の案内溝２１の外側のカム面８ａを滑る。なお、ロック体７がロック支持体９に支持された状態では、圧縮ばね１０ａ，１０ｂの付勢力が作用してもロック体７が落ち込むことはない。
【００３７】
図１３に示すように、可動体６は固定体８のカム面８ａを滑りながら回転する。可動体６の頂部６ｄがロック体７を通過すると、固定体８のカム面８ａの、ロック体７が設けられる部分と可動体６との間にはすきまが空く。圧縮・ねじりばね１１はロック体７を可動体６に向かって常に上方に付勢するので、圧縮・ねじりばね１１によってロック体７が上昇する。
【００３８】
図１４に示すように、可動体６が６０度回転すると、可動体６と固定体８との間にロック体７が完全に戻るだけのすきまが空く。ロック体７には圧縮ばね１０ａ，１０ｂからの強い付勢力がかからないので、圧縮・ねじりばね１１の付勢力によってロック体７が元の位置まで上昇する。ロック体７が元の位置まで上昇すると、圧縮・ねじりばね１１の回転力によって、ロック支持体９が回転する。これによって、ロック体７の凸部７ｃがロック支持体９の端面に乗り上げ、ロック支持体９がロック体７を支持するようになる（図４（ｂ）参照）。このとき、圧縮・ねじりばね１１は押し釦も元の位置に復元させる。
【００３９】
図１５は、可動体６が開いた状態を示す。可動体６は閉じた状態から１８０度回転して開いた状態になる。可動体６が開いた状態では、可動体６の頂部６ｄが固定体８のカム面８ａの底部に当接する。ヒンジ装置４を携帯電話に組み込む前には、固定体８のカム面８ａの底部に落ち込んだ可動体６に開く方向に付勢力を与えることはできない。ヒンジ装置４が携帯電話に組み込まれると、可動体６の開き角度が僅かに狭められ、圧縮ばね１０ａ，１０ｂ及び固定体８によって可動体６にさらに開く方向に付勢力を与えることができる。
【００４０】
以上が押し釦３を押したときの各部品の動作である。手で携帯電話のディスプレイ側筐体２を開くとき、可動体６の頂部６ｄがロック体７を乗り越えるまでディスプレイ側筐体２を回転させると、圧縮ばね１０ａ，１０ｂの付勢力によってディスプレイ側筐体２が自動的に開く。
【００４１】
なお、本発明は上記実施形態に限られることはなく、本発明の要旨を変更しない範囲で様々に変更できる。例えば、固定体のカム面に平坦部を形成し、手でディスプレイ側筐体を開くとき、ディスプレイ側筐体が９０度の開き角度で停止するようにしてもよい。押し釦を押したときは、可動体の頂部は勢いで固定体のカム面の平坦部を乗り越える。
【図面の簡単な説明】
【００４２】
【図１】本発明の一実施形態のヒンジ装置が組み込まれる携帯電話の開いた状態を示す図（図中（ａ）は側面図を示し、図中（ｂ）は正面図を示す）
【図２】携帯電話の閉じた状態を示す図（図中（ａ）は側面図を示し、図中（ｂ）は正面図を示す）
【図３】ヒンジ装置の分解斜視図
【図４】組み立てたヒンジ装置の斜視図（図中（ａ）はケースを取り外した状態を示し、図中（ｂ）はさらに固定体を取り外した状態を示す）
【図５】可動体の詳細図（図中（ａ）は斜視図を示し、図中（ｂ），（ｃ）は側面図を示す）
【図６】固定体の詳細図（図中（ａ）は斜視図を示し、図中（ｂ），（ｃ）は側面図を示す）
【図７】ロック体の詳細図（図中（ａ）は斜視図を示し、図中（ｂ），（ｃ）は側面図を示す）
【図８】ロック支持体の詳細図（図中（ａ）は斜視図を示し、図中（ｂ），（ｃ）は側面図を示す）
【図９】押し釦の詳細図（図中（ａ）は斜視図を示し、図中（ｂ），（ｃ）は側面図を示す）
【図１０】閉じた状態のヒンジ装置の側面図
【図１１】閉じた状態の可動体及び固定体の詳細図（図中（ａ），（ｂ）は側面図を示す）
【図１２】閉じた状態の可動体及び固定体の詳細図（図中（ａ），（ｂ）は側面図を示す）
【図１３】４０°開いた状態の可動体及び固定体の詳細図（図中（ａ），（ｂ）は側面図を示す）
【図１４】６０°開いた状態の可動体及び固定体の詳細図（図中（ａ），（ｂ）は側面図を示す）
【図１５】開いた状態のヒンジ装置の側面図
【図１６】従来のヒンジ装置の分解斜視図
【図１７】従来のヒンジ装置の動作図
【符号の説明】
【００４３】
１…操作側筐体（第一の筐体）
２…ディスプレイ側筐体（第二の筐体）
３…押し釦
４…ヒンジ装置
５…ケース
６…可動体
６ｄ…頂部（係合部）
７…ロック体
７ｂ…ロック係合部（係合部）
８…固定体
８ａ…カム面
９…ロック支持体
１０ａ，１０ｂ…圧縮ばね（付勢部材）
１１…圧縮・ねじりばね
２１…案内溝
【図１】
2010112541.tif 000003
【図２】
2010112541.tif 000004
【図３】
2010112541.tif 000005
【図４】
2010112541.tif 000006
【図５】
2010112541.tif 000007
【図６】
2010112541.tif 000008
【図７】
2010112541.tif 000009
【図８】
2010112541.tif 000010
【図９】
2010112541.tif 000011
【図１０】
2010112541.tif 000012
【図１１】
2010112541.tif 000013
【図１２】
2010112541.tif 000014
【図１３】
2010112541.tif 000015
【図１４】
2010112541.tif 000016
【図１５】
2010112541.tif 000017
【図１６】
2010112541.tif 000018
【図１７】
2010112541.tif 000019